(57)【特許請求の範囲】
【請求項１】
芯材と、少なくとも基材層及び熱接着性樹脂層を有して前記芯材に巻き取られた帯状の樹脂フィルムとを備え、引き出された前記樹脂フィルムにより所定の内容物を包装した前面部と背面部を有し当該背面部には合掌シール部を備えると伴に上端熱シール部と下端熱シール部を備えるピロータイプの包装袋を連続して形成するための巻取体において、
前記樹脂フィルムが、前記樹脂フィルム上の２点を一方向に突出して連結して巻取方向に所定周期で形成される複数の切込みを有するとともに、前記切込みが、前記樹脂フィルムの幅方向の中心より一端部側にシフトしており、且つ、前記ピロータイプの包装袋の一端縁側における前面部と背面部にまたがる位置に設けられており、
各前記切込みを覆って前記樹脂フィルムに貼着されるラベルを設け、
前記ラベルは、前記樹脂フィルムの幅方向の中心より一端部側にシフトしており、
前記ラベルの摘持部が、前記樹脂フィルムの幅方向の中心より前記一端部側に配置されており、且つ前記ピロータイプの包装袋における背面部に設けられていることを特徴とする巻取体。
【請求項２】
前記基材層は一軸延伸フィルムにより形成され、前記一軸延伸フィルムの延伸方向が前記巻取方向に垂直な方向に一致するとともに、前記切込みの両端が前記巻取方向に並ぶことを特徴とする請求項１に記載の巻取体。
【請求項３】
前記ラベルの厚さを５０μｍ以下にしたことを特徴とする請求項１又は請求項２に記載の巻取体。
【請求項４】
請求項１〜請求項３のいずれかに記載の巻取体から引き出された前記樹脂フィルム上に内容物を配して前記樹脂フィルムを所定位置で熱接着及び切断して形成されることを特徴とする内容物入り包装袋の製造方法。
【請求項５】
所定の内容物を包装した樹脂フィルムから成り前面部と背面部を有し当該背面部には合掌シール部を備えると伴に上端熱シール部と下端熱シール部を備えるピロータイプの包装袋を連続して形成するための巻取体の製造方法において、
前記樹脂フィルムの原反を巻回した原反ロールから引き出された帯状の前記樹脂フィルム上の２点を一方向に突出して連結する複数の切込みを、前記樹脂フィルムの幅方向の中心より一端部側にシフトし、且つ、前記ピロータイプの包装袋の一端縁側における前面部と背面部にまたがる位置に、所定周期で形成する切込み形成工程と、
各前記切込みを覆うラベルを前記樹脂フィルム上に貼着するラベル貼着工程と、
前記ラベルが貼着された前記樹脂フィルムを芯材に巻き取る巻取工程とを備え、
前記ラベルは、前記樹脂フィルムの幅方向の中心より一端部側にシフトしており、
前記ラベルの摘持部が、前記樹脂フィルムの幅方向の中心より前記一端部側に配置されており、且つ前記ピロータイプの包装袋における背面部に設けられていることを特徴とする巻取体の製造方法。
【発明の詳細な説明】
【技術分野】
【０００１】
本発明は、樹脂フィルムを巻き取った芯材を備え、引き出された樹脂フィルムにより内容物を包装した包装袋を連続して形成するための巻取体及びその製造方法に関する。また、本発明は巻取体から形成される内容物入り包装袋の製造方法に関する。
【背景技術】
【０００２】
従来の包装袋は特許文献１に開示されている。この包装袋は樹脂フィルムを熱接着して形成され、内容物を収納した筒状の樹脂フィルムの軸方向の両端部が熱接着により閉じられる。包装袋の前面には切込みが形成され、切込みを覆うようにラベルが貼着されている。切込みは軸方向に延伸された樹脂フィルム上の２点を延伸方向に突出して連結したコ字状等に形成される。
【０００３】
上記構成の包装袋において、使用者がラベルを軸方向に引き剥がすと、切込みの内側の樹脂フィルムがラベルに引っ張られるため、樹脂フィルムが切込みの両端から軸方向に破断する。これにより、包装袋が前面に開口部を形成して開封され、開口部を介して内容物を取り出すことができる。また、内容物の一部を取り出した後にラベルを貼着して開口部を閉じ、包装袋を再封することができる。
【先行技術文献】
【特許文献】
【０００４】
【特許文献１】特開平７−８９５５６号公報（第２頁、第３頁、第１図、第２図）
【発明の概要】
【発明が解決しようとする課題】
【０００５】
上記従来の包装袋は、帯状の樹脂フィルムを芯材に巻き取った巻取体から製造されるのが一般的である。具体的には、巻取体から樹脂フィルムを引き出し、プレス機等を用いて引出し方向に所定周期で切込みを樹脂フィルムに形成する。そして、ラベル貼付機等を用いて、各切込みを覆うようにラベルを樹脂フィルムに貼着する。その後に引き続いて、ピロー包装機等の製袋機を用いて、樹脂フィルムにより内容物を包装した包装袋を連続して製造する。
【０００６】
このため、内容物を包装した包装袋を巻取体から製造する際に、製袋機の他にプレス機やラベル貼付機が別途必要になる。したがって、製袋機の所有者が上記の包装袋の製造時に設備投資を必要とし、既存設備で包装袋を容易に製造することができない問題があった。
【０００７】
本発明はラベルを剥がして開封される内容物入り包装袋を容易に製造できる巻取体及びその製造方法を提供することを目的とする。また本発明は容易に製造できる内容物入り包装袋の製造方法を提供することを目的とする。
【課題を解決するための手段】
【０００８】
上記目的を達成するために本発明は、芯材と、少なくとも基材層及び熱接着性樹脂層を有して前記芯材に巻き取られた帯状の樹脂フィルムとを備え、引き出された前記樹脂フィルムにより所定の内容物を包装した包装袋を連続して形成するための巻取体において、
前記樹脂フィルムが、前記樹脂フィルム上の２点を一方向に突出して連結して巻取方向に所定周期で形成される複数の切込みを有するとともに、
各前記切込みを覆って前記樹脂フィルムに貼着されるラベルを設けたことを特徴としている。
【０００９】
この構成によると、芯材に巻き取られた帯状の樹脂フィルムには、樹脂フィルム上の２点を一方向に突出して連結する複数の切込みが巻取方向に所定周期で形成される。各切込みを覆うようにラベルが樹脂フィルムに貼着される。そして、例えばピロー包装機等の製袋機を用いて、巻取体から引き出された樹脂フィルムにより食品等の内容物を包装した包装袋が連続して形成される。
【００１０】
また本発明は、上記構成の巻取体において、前記基材層は一軸延伸フィルムにより形成され、前記一軸延伸フィルムの延伸方向が前記巻取方向に垂直な方向に一致するとともに、前記切込みの両端が前記巻取方向に並ぶと好ましい。この構成によると、ラベルを巻取方向に垂直な方向に引くと樹脂フィルムが破断して巻取方向に垂直な方向に開口部が形成される。
【００１１】
また本発明は、上記構成の巻取体において、前記基材層は一軸延伸フィルムにより形成され、前記一軸延伸フィルムの延伸方向が前記巻取方向に一致するとともに、前記切込みの両端が前記巻取方向に垂直な方向に並ぶと好ましい。この構成によると、ラベルを巻取方向に引くと樹脂フィルムが破断して巻取方向に開口部が形成される。
【００１２】
また本発明は、上記構成の巻取体において、前記ラベルは前記樹脂フィルムに貼着される粘着性の貼着部に隣接して前記包装袋の開封時に摘持される非粘着性の摘持部を有し、前記摘持部が前記貼着部に対して前記樹脂フィルムの開放端から離れた側に配されると好ましい。この構成によると、摘持部を摘持してラベルを開放端に近づく方向に引くと、樹脂フィルムが破断して開放端に近づく方向に開口部が形成される。
【００１３】
また本発明は、上記構成の巻取体において、前記ラベルの厚さを５０μｍ以下にすると好ましい。
【００１４】
また本発明の内容物入り包装袋の製造方法は、上記構成の巻取体から引き出された前記樹脂フィルム上に内容物を配して前記樹脂フィルムを所定位置で熱接着及び切断して形成されることを特徴としている。
【００１５】
また本発明は、所定の内容物を包装した樹脂フィルムから成る包装袋を連続して形成するための巻取体の製造方法において、
前記樹脂フィルムの原反を巻回した原反ロールから引き出された帯状の前記樹脂フィルム上の２点を一方向に突出して連結する複数の切込みを所定周期で形成する切込み形成工程と、
各前記切込みを覆うラベルを前記樹脂フィルム上に貼着するラベル貼着工程と、
前記ラベルが貼着された前記樹脂フィルムを芯材に巻き取る巻取工程とを備えることを特徴としている。
【発明の効果】
【００１６】
本発明によると、巻取体は樹脂フィルム上の２点を一方向に突出して連結した切込みを巻取方向に所定周期で形成され、各切込みを覆うラベルが樹脂フィルムに貼着される。これにより、ラベルを剥がして開封される内容物入り包装袋を製袋機の所有者が既存設備で容易に製造することができる。
【図面の簡単な説明】
【００１７】
【図１】本発明の第１実施形態の巻取体の斜視図
【図２】本発明の第１実施形態の巻取体から内容物を収納した包装袋を製造する工程を示す斜視図
【図３】本発明の第１実施形態の巻取体から引き出された樹脂フィルムにより内容物を包装した包装袋を示す正面図
【図４】本発明の第１実施形態の巻取体から引き出された樹脂フィルムにより内容物を包装した包装袋を示す背面図
【図５】本発明の第１実施形態の巻取体から形成されて内容物を包装した包装袋を開封した様子を示す正面図
【図６】本発明の第１実施形態の巻取体の製造工程を示す斜視図
【図７】本発明の第１実施形態の巻取体のラベル貼着工程の他の例を説明するための樹脂フィルム及びラベルの断面図
【図８】本発明の第２実施形態の巻取体の斜視図
【図９】本発明の第２実施形態の巻取体から引き出された樹脂フィルムにより内容物を包装した包装袋を示す正面図
【図１０】本発明の第２実施形態の巻取体から形成されて内容物を包装した包装袋を開封した様子を示す正面図
【発明を実施するための形態】
【００１８】
＜第１実施形態＞
以下に本発明の実施形態を図面を参照して説明する。図１は本発明の第１実施形態の巻取体１の斜視図を示している。なお、矢印Ｒは樹脂フィルム３の巻取方向を示している。巻取体１は円筒形状の段ボール紙製の芯材２と、芯材２に巻き取られた帯状の樹脂フィルム３とを有する。樹脂フィルム３は表面側から裏面側に向かって順に基材層、バリア層及び熱接着性樹脂層を積層して形成される。樹脂フィルム３の幅Ｄは例えば約８０ｍｍになっている。
【００１９】
基材層は例えば厚さ２５μｍの一軸延伸ポリプロピレンフィルムにより形成される。一軸延伸ポリプロピレンフィルムの延伸方向は樹脂フィルム３の巻取方向に垂直な方向に一致している。水蒸気等の透過を防止するバリア層はアルミニウム蒸着を施した例えば厚さ１２μｍのポリエチレンテレフタラートフィルムにより形成される。なお、シリカ蒸着を施したポリエチレンテレフタラートフィルムやアルミニウム箔によりバリア層を形成してもよい。熱接着性樹脂層は例えば厚さ３０μｍのイージーピールフィルムにより形成される。イージーピールフィルムは例えばポリエチレンとエチレンコポリマーの２層構造から成る。
【００２０】
樹脂フィルム３には貫通した切込み５が巻取方向に所定周期（例えば１４３ｍｍ周期）で複数形成される。切込み５は、連続した直線から成って巻取方向に垂直な方向に凸のコ字状に形成される。切込み５は樹脂フィルム３の幅方向中央部よりも左方に配されている。なお、切込み５の形状はコ字状に限定されず、例えば半円状、くの字状等であってもよい。すなわち、切込み５は樹脂フィルム３上の２点を巻取方向に垂直な方向に突出して連結し、切込み５の両端が巻取方向に並べばよい。また、ミシン目により切込み５を形成してもよい。
【００２１】
樹脂フィルム３には各々の切込み５を覆うようにラベル４がそれぞれ貼着される。ラベル４は切込み５の突出方向と反対側に延びている。ラベル４は平面視ホームベース形状に形成され、樹脂フィルム３に貼着される粘着性の貼着部４ａと貼着部４ａに隣接する非粘着性の摘持部４ｂとを有する。貼着部４ａ及び摘持部４ｂは例えば厚さ１０μｍのポリエチレンテレフタラートから成る基材層（不図示）を有する。貼着部４ａ及び摘持部４ｂの基材層の一方側の全面には例えば厚さ３０〜４０μｍの粘着層（不図示）が形成され、摘持部４ｂは粘着層上に例えばシリコン樹脂から成る糊殺し層を形成することにより非粘着性になっている。これにより、ラベル４の厚みは５０μｍ以下に形成される。貼着部４ａは切込み５を覆い、摘持部４ｂは切込み５の開放端の反対側に配される。後述のように、摘持部４ｂは包装袋１０（図４、図５参照）の開封時に摘持される。
【００２２】
図２は内容物Ｓを収納した包装袋１０（図３、図４参照）を巻取体１から製造する工程の斜視図を示している。矢印ＤＲは樹脂フィルム３の引出し方向を示している。上記構成の巻取体１をピロー包装機等の製袋機（不図示）のローラに取り付け、樹脂フィルム３の開放端６を引出し方向の先端にして巻取体１から樹脂フィルム３を矢印ＤＲの方向へ引き出す。引き出された樹脂フィルム３上に例えばスティック状の菓子等の内容物Ｓを配し、ガイド部材（不図示）により樹脂フィルム３を案内して筒状の樹脂フィルム３を形成する。筒状の樹脂フィルム３により内容物Ｓを包む。
【００２３】
そして、筒状の樹脂フィルム３の両側縁を互いにヒートシーラ（不図示）により熱接着して合掌シール部１３を形成する。その後に、筒状の樹脂フィルム３の引出し方向の両端部をヒートシーラ２０により熱接着する。そして、筒状の樹脂シート３の引出し方向の両端部を刃２１により切断する。これにより、内容物Ｓを包装した包装袋１０が連続して形成される。包装袋１０はいわゆるピロー型になっている。以上の工程により、製袋機の所有者が既存設備で包装袋１０を容易に製造することができる。
【００２４】
図３及び図４は図２に示す製造工程により巻取体１から形成された包装袋１０の正面図及び背面図をそれぞれ示している。包装袋１０は対向する前面部１１及び背面部１２を有して樹脂フィルム３により筒状に形成され、内容物Ｓを収納して上下の両端縁が熱接着されている。樹脂フィルム３の基材層の延伸方向は包装袋１０の周方向に一致している。包装袋１０の前面部１１には内容物Ｓの商品名や図柄等が印刷されている。
【００２５】
包装袋１０の背面部１２には左右方向中央部から突出して軸方向に延びる合掌シール部１３が設けられる。合掌シール部１３は上下がヒートシーラ２０（図２参照）による熱接着時にプレスされ、図４において左方に傾倒している。
【００２６】
切込み５は背面部１２の上部に開放端を合掌シール部１３の反対側に向けて、合掌シール部１３に対して傾倒方向の反対側（図４において右側）に配される。
【００２７】
ラベル４は切込み５を覆い、切込み５の突出方向と反対側に延びて背面部１２及び前面部１１の両方に渡って貼着されている。この時、ラベル４の摘持部４ｂは背面部１２上で切込み５と合掌シール部１３との間に配される。
【００２８】
図５は包装袋１０の開封時の正面図を示している。使用者が摘持部４ｂを摘持してラベル４を延びた方向に引き剥がすと、切込み５の内側がラベル４に引っ張られて背面部１２から離れる。これにより、包装袋１０の開封が開始され、切込み５は開封を開始する開封開始部を構成する。更にラベル４を引くと、樹脂フィルム３は切欠き５の両端から破断してラベル４に付随して帯状に引き裂かれる。背面部１２上から前面部１１上の終端まで引き剥がされたラベル４を更に引くと、帯状の樹脂フィルム３がラベル４の終端から延長して引き裂かれる。
【００２９】
これにより、背面部１２から前面部１１に渡る開口部１４が形成され、包装袋１０が開封される。この時、樹脂フィルム３の基材層の延伸方向に沿ってラベル４が貼着されるため、背面部１２から前面部１１の全体に渡る開口部１４を容易に形成することができる。
【００３０】
包装袋１０が開封されると、開口部１４の上方を後方に倒して開口部１４を介して内容物Ｓが取り出される。この時、開口部１４が前面部１１から背面部１２に渡って形成されるため、内容物Ｓの取り出しの際に内容物Ｓが包装袋１０に引っ掛かりにくくなる。したがって、包装袋１０の利便性を向上させることができる。
【００３１】
また、包装袋１０の開封時には包装袋１０の上部で周方向に開口部１４が形成されるため、内容物Ｓの落下を防止することができる。また、包装袋１０の前面部１１の一部にラベル４が貼着されるため、ラベル４を前面部１１の左右端に渡る全体に貼着する場合よりも商品名や図柄等の表示を妨げない。
【００３２】
また、背面部１２上の合掌シール部１３の傾倒方向の反対側に切込み５が形成されている。これにより、使用者は摘持部４ｂを容易に摘持することができる。
【００３３】
また、樹脂フィルム３の基材層の延伸方向が包装袋１０の周方向に一致しているため、使用者が摘持部４ｂを摘持して包装袋１０の周方向に引くと、切込み５から周方向に樹脂フィルム３が容易に破断する。したがって、包装袋１０の易開封性を向上させることができる。
【００３４】
また、樹脂フィルム３の基材層が一軸延伸ポリプロピレンフィルムにより形成されるため、前面部１１や背面部１２のシワを低減することができるとともに、包装袋１０の強度を容易に向上させることができる。
【００３５】
次に、上記構成の巻取体１の製造方法について説明する。図６は巻取体１の製造工程の斜視図を示している。樹脂フィルム３の原反を巻回した原反ロール３０から樹脂フィルム３が矢印Ｒの方向に引き出される。ステップ＃１の切込み形成工程では、矢印Ｒの方向に所定周期（例えば１４３ｍｍ周期）で切込み５がプレス機等により樹脂フィルム３に形成される。
【００３６】
その後、ステップ＃２のラベル貼着工程では、各切込み５を覆うようにラベル４が樹脂フィルム３にそれぞれ貼着される。この時、ラベル貼付機等を用いて、予めホームベース形状に切り取られたラベル４を樹脂フィルム３に順に貼着する。なお、ラベル４の摘持部４ｂになる部分には前述のように糊殺し層を予め形成しておく。その後、ステップ＃３の巻取工程では、ラベル４が貼着された樹脂フィルム３を芯材２に巻き取る。これにより、巻取体１が製造される。
【００３７】
図７はステップ＃２のラベル貼着工程の他の例を説明するための樹脂フィルム３及びラベル４の断面図を示している。樹脂フィルム３の原反及びラベル４の原反４０は図７において紙面に直交する方向に引き出されている。すなわち、樹脂フィルム３の原反及びラベル４の原反４０は同じ方向に引き出されている。原反４０は基材層４１と、基材層４１の一方側の面に形成された粘着層４２とを有する。
【００３８】
ステップ＃２のラベル貼着工程において、切込み５を覆うように原反４０の粘着層４２を樹脂フィルム３に接触させるのとほぼ同時に矢印Ｃの位置でカッター等により原反４０を平面視ホームベース形状に切り取る。そして、原反４０のラベル４を切り取った後の残りの部分（ラベル４として使用しない部分）がローラ（不図示）で巻き取られ、樹脂フィルム３から剥がされて回収される（カス上げされる）。これにより、原反４０からのラベル４の切り取りとラベル４の樹脂フィルム３への貼着をほぼ同時に行うことができる。
【００３９】
この時、貼着部４ａと摘持部４ｂとが原反ロール３０からの樹脂フィルム３の原反の引出し方向に直交する方向に並設される。このため、粘着層４２を樹脂フィルム３に接触させる前に原反４０に引出し方向に延びる帯状の糊殺し層４３を予め形成し、摘持部４ｂになる部分を糊殺し層４３上に配すると非粘着性の摘持部４ｂを容易に形成することができる。なお、糊殺し層４３は例えばシリコン樹脂により形成される。
【００４０】
本実施形態によると、巻取体１は樹脂フィルム３上の２点を一方向に突出して連結した切込み５を巻取方向に所定周期で形成され、各切込み５を覆うラベル４が樹脂フィルム３に貼着される。これにより、ラベル４を剥がして開封される包装袋１０を製袋機の所有者が既存設備で容易に製造することができる。
【００４１】
また、樹脂フィルム３の基材層の延伸方向が巻取方向に垂直な方向に一致するとともに、切込み５の両端が巻取方向に並ぶ。これにより、ラベル４を巻取方向に引くと樹脂フィルム３が破断して巻取方向に開口部が形成される。したがって、巻取体１から形成された包装袋１０の易開封性を向上させることができる。
【００４２】
また、ラベル４の厚さを５０μｍ以下にしているため、巻取体１の樹脂フィルム３上の凹凸を低減することができる。したがって、芯材２に巻き取られる樹脂フィルム３にラベル４を貼着しても、樹脂フィルム３上のシワを低減することができる。
【００４３】
また、包装袋１０は、巻取体１から引き出された樹脂フィルム３上に内容物Ｓを配して樹脂フィルム３を所定位置で熱接着及び切断して形成される。これにより、内容物Ｓを収納した包装袋１０を容易に製造することができる。
【００４４】
また、樹脂フィルム３の原反を巻回した原反ロール３０から引き出された帯状の樹脂フィルム３上の２点を一方向に突出して連結する複数の切込み５を所定周期で形成する切込み形成工程と、各切込み５を覆うラベル４を樹脂フィルム３上に貼着するラベル貼着工程と、ラベル４が貼着された樹脂フィルム３を芯材２に巻き取る巻取工程とを備える。これにより、巻取体１を容易に製造することができる。
【００４５】
＜第２実施形態＞
次に、本発明の第２実施形態について説明する。図８は本実施形態の巻取体１の斜視図を示している。説明の便宜上、前述の図１〜図７に示した第１実施形態と同様の部分には同一の符号を付している。本実施形態は樹脂フィルム３の基材層の延伸方向、ラベル４の配置及び切込み５の配置が第１実施形態とは異なっている。その他の部分は第１実施形態と同様である。
【００４６】
樹脂フィルム３の基材層は例えば厚さ１２μｍの一軸延伸ポリエチレンテレフタラートフィルムにより形成される。一軸延伸ポリエチレンテレフタラートフィルムの延伸方向は樹脂フィルム３の巻取方向に一致している。バリア層はアルミニウム蒸着を施した例えば厚さ１２μｍのポリエチレンテレフタラートフィルムにより形成される。なお、シリカ蒸着を施したポリエチレンテレフタラートフィルムやアルミニウム箔によりバリア層を形成してもよい。熱接着性樹脂層は例えば厚さ２０μｍの無延伸ポリプロピレンフィルムにより形成される。
【００４７】
なお、基材層に厚さ１２μｍの一軸延伸ポリエチレンテレフタラートフィルムを用いるとともに、バリア層を省いて熱接着性樹脂層としてアルミニウム蒸着された厚さ２５μｍの無延伸ポリプロピレンフィルムを用いてもよい。
【００４８】
切込み５は樹脂フィルム３上の２点を巻取方向に突出して連結し、切込み５の両端が巻取方向に垂直な方向に並んでいる。摘持部４ｂは貼着部４ａに対して樹脂フィルム３の開放端６から離れた側に配される。これにより、包装袋１０の製造工程（図２参照）において、摘持部４ｂの捲れによるラベル４の剥がれを防止することができる。
【００４９】
図９は本実施形態の巻取体１から形成された包装袋１０の正面図を示している。包装袋１０は対向する前面部１１及び背面部１２を有して樹脂フィルム３により筒状に形成され、内容物Ｓを収納して上下の両端縁が熱接着されている。樹脂フィルム３の基材層の延伸方向は包装袋１０の軸方向と一致している。包装袋１０の前面部１１の上部には、上方に凸のコ字状の切込み５が形成される。
【００５０】
ラベル４は切込み５を覆って前面部１１の上部に貼着され、下方に延びている。この時、ラベル４の摘持部４ｂは背面部１２上で切込み５よりも上方に配される。
【００５１】
図１０は包装袋１０の開封時の正面図を示している。上記構成の包装袋１０において、使用者が摘持部４ｂを摘持して包装袋１０の軸方向に引き剥がすと、樹脂フィルム３が延伸方向の軸方向に破断して開口部１６が形成される。これにより、包装袋１０が開封され、使用者は開口部１６を介して内容物Ｓを取り出すことができる。
【００５２】
本実施形態によると、第１実施形態と同様の効果を得ることができる。また、樹脂フィルム３の基材層の延伸方向が巻取方向に一致するとともに、切込み５の両端が巻取方向に垂直な方向に並ぶ。これにより、ラベル４を巻取方向に引くと樹脂フィルム３が破断して巻取方向に開口部が形成される。したがって、巻取体１から形成された包装袋１０の易開封性を向上させることができる。
【００５３】
また、摘持部４ｂが貼着部４ａに対して樹脂フィルム３の開放端６から離れた側に配される。これにより、巻取体１から樹脂フィルム３を引き出して内容物Ｓを包装した包装袋１０を形成する際に、摘持部４ｂの捲れによるラベル４の剥がれを防止することができる。
【００５４】
なお、第１、第２実施形態において、包装袋１０はピロー型になっているが、樹脂フィルムを折り曲げて対向する前面部と背面部の熱接着性樹脂層を三方の端縁で熱接着して内容物を封止収納する三方シール型でもよく、またスタンディングパウチでもよい。
【産業上の利用可能性】
【００５５】
本発明は、引き出された樹脂フィルムにより所定の内容物を包装した包装袋を連続して形成するための巻取体に利用することができる。
【符号の説明】
【００５６】
１      巻取体
２      芯材
３      樹脂フィルム
４      ラベル
４ａ    貼着部
４ｂ    摘持部
５      切込み
６      開放端
１０    包装袋
１１    前面部
１２    背面部
１３    合掌シール部
１４、１６    開口部
２０    ヒートシーラ
２１    刃
３０    原反ロール
Ｓ      内容物
【図１】
0006539994.tif 000002
【図２】
0006539994.tif 000003
【図３】
0006539994.tif 000004
【図４】
0006539994.tif 000005
【図５】
0006539994.tif 000006
【図６】
0006539994.tif 000007
【図７】
0006539994.tif 000008
【図８】
0006539994.tif 000009
【図９】
0006539994.tif 000010
【図１０】
0006539994.tif 000011